(57)【要約】【課題】  ローダ部がスムーズにスライドできなくなったり、ローダ駆動用モータが破損してしまうことを安価で防止することができる光ディスク再生装置を提供する。【解決手段】  筐体と、筐体の前面に開口する開口部と、光ディスクを載置するディスク載置部を備えるローダ部と、一部が前記ローダ部に固定されたタイミングベルトと、タイミングベルトを掛架する歯車部を備え軸支部を軸に自在に回動するギヤ部と、タイミングベルトをギヤ部と共に掛架しタイミングベルトを回転させることによって開口部を介してローダ部を筐体の外部から筐体の内部に移動させるローダ駆動手段と、ローダ駆動手段によって筐体の内部に移動された光ディスクに記録されたデータを再生する再生部とを備え、ギヤ部は、一端に一定角度毎に欠落部分を有する円盤型を形成した第１の鍔部を備え、当該一端の他端に欠落部分に対して平行となる箇所に鍔を形成する第２の鍔部を備える。【選択図】      図２
2012208965.tif 000002
【特許請求の範囲】
【請求項１】
光ディスクを再生する光ディスク再生装置において、
筐体と、
前記筐体の前面に開口する開口部と、
光ディスクを載置するディスク載置部を備えるローダ部と、
一部が前記ローダ部に固定されたタイミングベルトと、
前記タイミングベルトを掛架する歯車部を備え軸支部を軸に自在に回動するギヤ部と、
前記タイミングベルトを前記ギヤ部と共に掛架し前記タイミングベルトを回転させることによって前記開口部を介して前記ローダ部を前記筐体の外部から前記筐体の内部に移動させるローダ駆動手段と、
前記ローダ駆動手段によって前記筐体の内部に移動された光ディスクに記録されたデータを再生する再生部とを備え、
前記ギヤ部は、一端に一定角度毎に欠落部分を有する円盤型を形成した第１の鍔部を備え、当該一端の他端に前記欠落部分に対して平行となる箇所に鍔を形成する第２の鍔部を備えることを特徴とする光ディスク再生装置。
【請求項２】
請求項１記載の光ディスク再生装置において、
前記第１の鍔部及び前記第２の鍔部は、内周から外周に向かって前記歯車部と反対の方向に傾斜する傾斜部をそれぞれ備えることを特徴とする光ディスク再生装置。
【請求項３】
請求項１または２記載の光ディスク再生装置において、
前記第２の鍔部の外周部分は、前記歯車部の外周部分より低いことを特徴とする光ディスク再生装置。
【発明の詳細な説明】
【技術分野】
【０００１】
本発明は、光ディスクに記録されているデータを再生する光ディスク再生装置に関する。
【背景技術】
【０００２】
従来の光ディスク再生装置として、光ディスクを載置したローダ部を筐体の内部に移動させ、筐体内部に備えるターンテーブルにより当該光ディスクを回転させることによって、光ディスクに記録されたデータを再生するディスクローディング機構を有する光ディスク再生装置が知られている（例えば、特許文献１参照。）。
【０００３】
図４は、従来の光ディスク再生装置を示す上面図である。
従来の光ディスク再生装置１００は、筐体２、ローダ部３、案内部４、ローダ駆動用モータ５、再生部６、タイミングベルト１８、ギヤ部２７、図示しないクランパ及び制御部を備える。
図４においては、下方を光ディスク再生装置１００の前方とする。
【０００４】
筐体２は、箱型を形成し、前面に開口部２０１を備える。ローダ部３は、平板であって、中央部分にディスク載置部３０１を備える。ディスク載置部３０１は、上面に図示しない光ディスクを載置可能な凹部３０２を備え、凹部３０２の中央部分に孔３０３を備える。ローダ部３の左右部分の下面にはそれぞれ下方に突出する凸部３０４を備える。
【０００５】
案内部４は、ローダ部３の左右の側面に近接した位置にそれぞれ配設された状態で筐体２に固定される。ローダ部３は、左右の側面に案内部４が近接していることによって、左右方向への移動が抑止され、筐体２に対して前後方向にのみ移動可能となる。ローダ駆動用モータ５は、回転軸にピニオン５０１を備える。ギヤ部２７は、ローダ駆動用モータ５の前方に配設される。再生部６は、筐体２の内部に配設され、上面にターンテーブル６０１、スピンドルモータ６０２、光ピックアップ６０３及びピックアップ駆動部６０４を備える。
【０００６】
図５（ａ）及び（ｂ）は、従来の光ディスク再生装置１００のギヤ部２７の構成を示す側面図である。
【０００７】
図５（ａ）に示すように、光ディスク再生装置１００は、前述したギヤ部２７等の構成の他に、軸支部１９、Ｅリング２２及び抜け防止プレート２８を備える。ギヤ部２７は、上下方向に型抜きされる金型により一体成型された樹脂部材から成り、円筒部２７１、孔２７２、歯車部２７３及び鍔部２７４を備える。
【０００８】
円筒部２７１は、円筒型を成し、中央部分に貫通する孔２７２を備える。歯車部２７３は、外径が円筒部２７１の外径より大きな円筒型を成し、外周部分に歯車を形成する。鍔部２７４は、歯車部２７３の下端部分に配設され薄い円盤型を形成する。
【０００９】
軸支部１９は、筐体２に固定され、上方に突出する軸１９１を備える。抜け防止プレート２８は、中央部分に孔２８１を備えた円盤型を形成する。
【００１０】
軸支部１９の軸１９１には、上方からギヤ部２７の孔２７２が挿入される。ギヤ部２７は、孔２７２に軸１９１が挿入されることによって軸支部１９の軸１９１を軸として自在に回動可能に成される。
【００１１】
図４に示すように、タイミングベルト１８は、内側に歯部を備えたゴム部材等の弾性体から成り、円環状を形成する。図４及び図５（ａ）に示すように、タイミングベルト１８は、ピニオン５０１の外周に備える歯車部分とギヤ部２７の歯車部２７３に掛架され、ピニオン５０１の歯車とギヤ部２７の歯車部２７３に噛合った状態に成される。ローダ部３は、凸部３０４の後方部分に固定部３０６を備える。固定部３０６は、タイミングベルト１８の一部分とローダ部３の後方部分を固定する。
【００１２】
図５（ａ）に示すように、ギヤ部２７の歯車部２７３の幅は、タイミングベルト１８の幅より大きい。ギヤ部２７は、歯車部２７３にタイミングベルト１８が掛架された後、ギヤ部２７の上方から抜け防止プレート２８の孔２８１が軸１９１に挿入され、更に、軸１９１の上端部分にＥリング２２が固定される。抜け防止プレート２８の外径は、ギヤ部２７の外径より大きく形成される。ギヤ部２７は、抜け防止プレート２８及びＥリング２２によって、上方に抜けないように成されている。
【００１３】
タイミングベルト１８は、ピニオン５０１と回動自在に成されているギヤ部２７に掛架されていることから、ローダ駆動用モータ５のピニオン５０１が回転するのに伴ってトラック状に回転する。
【００１４】
図５（ａ）に示すように、ギヤ部２７は、歯車部２７３にタイミングベルト１８が掛架され、タイミングベルト１８の回転に伴って回転している状態の場合、鍔部２７４によってタイミングベルト１８が下方に外れないように成され、また、抜け防止プレート２８によってタイミングベルト１８が上方に外れないように成されている。
【００１５】
ローダ駆動用モータ５は、制御部の制御によりピニオン５０１を時計回り方向又は反時計回り方向に回転させる。ローダ部３は、ピニオン５０１とギヤ部２７に掛架されると共に、後方部分が固定部３０６によってタイミングベルト１８に固定されていることから、ローダ駆動用モータ５のピニオン５０１が時計回り方向又は反時計回り方向に回転し、タイミングベルト１８がトラック状に時計回り方向又は反時計回り方向に回転するのに伴って前後方向に移動し、開口部２０１を介して筐体２の前方と筐体２内部との間を自在にスライドする。
【００１６】
ターンテーブル６０１は、ローダ部３によって筐体２の内部に搬送された光ディスクを保持する。スピンドルモータ６０２は、制御部の制御によりターンテーブル６０１を回転させる。ピックアップ駆動部６０４は、制御部の制御により、スピンドルモータ６０２の軸方向に光ピックアップ６０３をスライド駆動させる。光ピックアップ６０３は、光ディスクに記録されたオーディオデータを読み取る。
【００１７】
このように従来の光ディスク再生装置１００は、先ず、ローダ部３を筐体２の前方にスライドさせた状態で光ディスクを凹部３０２に載置し、次に、制御部の制御によってローダ駆動用モータ５のピニオン５０１を回転させてタイミングベルト１８をトラック状に回転させ、ローダ部３を後方にスライドさせることによって光ディスクを筐体２の内部に搬送し、次に、筐体２内に移動された光ディスクの下方から図示しない機構により再生部が上昇して再生部６に備えるターンテーブル６０１が光ディスクを保持した後、当該ターンテーブル６０１が光ディスクを回転させると共に光ピックアップ６０３が光ディスクに記録されたデータを読み取ることによって、光ディスクに記録されたデータを再生する構成となっている。
【先行技術文献】
【特許文献】
【００１８】
【特許文献１】特開平６−２５１４８１号公報
【発明の概要】
【発明が解決しようとする課題】
【００１９】
前述したように、タイミングベルト１８の幅は、歯車部２７３の幅より小さいため、ピニオン５０１とギヤ部２７の間に掛架された状態で歯車部２７３と噛合いながらトラック状に回転している状態のとき、タイミングベルト１８の内側の歯部と歯車部２７３の表面歯車の部分との歯合部分が上下方向にスライドし、歯車部２７３に対してタイミングベルト１８が上方又は下方にスライドすることがある。
【００２０】
このように、タイミングベルト１８が歯車部２７３に対してタイミングベルト１８が上方又は下方にスライドした場合、前述したように、鍔部２７４によってタイミングベルト１８の下方へのスライドを抑制し、また、抜け防止プレート２８によってタイミングベルト１８の上方へのスライドを抑制しているため、タイミングベルト１８がギヤ部２７の上方又は下方に外れてしまうことを防止している。
【００２１】
しかしながら、タイミングベルト１８の上方へスライドする力が大きくなった場合、タイミングベルト１８の上端部分が抜け防止プレート２８を大きな力で上方に押圧するため、図５（ｂ）に示すように、抜け防止プレート２８が上方に撓んで抜け防止プレート２８の孔２８１の内壁面が軸１９１の表面に強い力で当接した状態となることがある。このように、抜け防止プレート２８の孔２８１の内壁面が軸１９１の表面に強い力で当接すると、抜け防止プレート２８の孔２８１の内壁面と軸１９１の表面との間で強い摩擦力が生じ、この摩擦力によってギヤ部２７の自在な回転が抑制されてしまう。ギヤ部２７の回転が抑制されると、ピニオン５０１と歯車部２７３に掛架されたタイミングベルト１８がスムーズにトラック状に回転できなくなり、ローダ部３がスムーズに前後方向にスライドできなくなってしまい、光ディスク再生装置１００の品位が損なわれてしまう。また、ギヤ部２７の回転が抑制されると、ピニオン５０１と歯車部２７３に掛架されたタイミングベルト１８が回転できなくなり、この結果、タイミングベルト１８と噛合ったピニオン５０１も回転できなくなることから、ピニオン５０１を回転させようとするローダ駆動用モータ５が破損してしまう虞がある。
【００２２】
このような、抜け防止プレート２８の孔２８１の内壁面と軸１９１の表面の当接を防止する手段として、歯車部２７３の下端部分に備える鍔部２７４を上端部分に備えた構成にすることが考えられるが、前述したように、通常、ギヤ部２７は、上下方向に型抜きされる金型により一体成型されるため、歯車部２７３の外径より大きな外径となる鍔部２７４を歯車部２７３の上端部分及び下端部分にそれぞれ備えた形を上下方向に型抜きされる金型により一体成型することができない。また、特殊な金型成型手段によって鍔部２７４を歯車部２７３の上端部分及び下端部分にそれぞれ備えるギヤ部２７を一体成型しようにすると、ギヤ部２７を成型するための金型製造費用が大幅に上昇してしまい、また、ギヤ部２７の製造コストが上昇して光ディスク再生装置１００の製造コストが上昇してしまう。
【００２３】
本発明は、ローダ駆動用モータを回転させてタイミングベルトをトラック状に回転させ、当該タイミングベルトに固定されたローダ部をスライドさせることによって光ディスクを筐体の内部及び外部に搬送する光ディスク再生装置において、ローダ部がスムーズにスライドできなくなったり、ローダ駆動用モータが破損してしまうことを安価で防止することができる光ディスク再生装置を提供することを目的とする。
【課題を解決するための手段】
【００２４】
本願の請求項１記載の発明は、光ディスクを再生する光ディスク再生装置において、筐体と、前記筐体の前面に開口する開口部と、光ディスクを載置するディスク載置部を備えるローダ部と、一部が前記ローダ部に固定されたタイミングベルトと、前記タイミングベルトを掛架する歯車部を備え軸支部を軸に自在に回動するギヤ部と、前記タイミングベルトを前記ギヤ部と共に掛架し前記タイミングベルトを回転させることによって前記開口部を介して前記ローダ部を前記筐体の外部から前記筐体の内部に移動させるローダ駆動手段と、前記ローダ駆動手段によって前記筐体の内部に移動された光ディスクに記録されたデータを再生する再生部とを備え、前記ギヤ部は、一端に一定角度毎に欠落部分を有する円盤型を形成した第１の鍔部を備え、当該一端の他端に前記欠落部分に対して平行となる箇所に鍔を形成する第２の鍔部を備えることを特徴とする。
【００２５】
本願の請求項２記載の発明は、請求項１記載の光ディスク再生装置において、前記第１の鍔部及び前記第２の鍔部は、内周から外周に向かって前記歯車部と反対の方向に傾斜する傾斜部をそれぞれ備えることを特徴とする。
【００２６】
本願の請求項３記載の発明は、請求項１または２記載の光ディスク再生装置において、前記第２の鍔部の外周部分は、前記歯車部の外周部分より低いことを特徴とする。
【発明の効果】
【００２７】
本発明によれば、ローダ駆動用モータを回転させてタイミングベルトをトラック状に回転させ、当該タイミングベルトに固定されたローダ部をスライドさせることによって光ディスクを筐体の内部及び外部に搬送する光ディスク再生装置において、ローダ部がスムーズにスライドできなくなったり、ローダ駆動用モータが破損してしまうことを安価で防止することができる。
【図面の簡単な説明】
【００２８】
【図１】本発明の一実施例の光ディスク再生装置を示す上面図。
【図２】本実施例の光ディスク再生装置１のギヤ部１７の構成を示す図。
【図３】本実施例のギヤ部１７の構成を示す側面図。
【図４】従来の光ディスク再生装置を示す上面図。
【図５】従来の光ディスク再生装置１００のギヤ部２７の構成を示す側面図。
【発明を実施するための形態】
【００２９】
本発明の実施の形態を図面を参照して説明する。なお、従来技術で示した構成要素と同一の部分については同符号を用いる。
【００３０】
図１は、本発明の一実施例の光ディスク再生装置を示す上面図である。
光ディスク再生装置１は、筐体２、ローダ部３、案内部４、ローダ駆動用モータ５、再生部６、ギヤ部１７、タイミングベルト１８、図示しないクランパ及び制御部を備える。
図１においては、下方を光ディスク再生装置１の前方とする。
【００３１】
筐体２は、箱型を形成し、前面に開口部２０１を備える。ローダ部３は、平板であって、中央部分にディスク載置部３０１を備える。ディスク載置部３０１は、上面に図示しない光ディスクを載置可能な凹部３０２を備え、凹部３０２の中央部分に孔３０３を備える。ローダ部３の左右部分の下面にはそれぞれ下方に突出する凸部３０４を備える。
【００３２】
案内部４は、ローダ部３の左右の側面に近接した位置にそれぞれ配設された状態で筐体２に固定される。ローダ部３は、左右の側面に案内部４が近接していることによって、左右方向への移動が抑止され、筐体２に対して前後方向にのみ移動可能となる。ローダ駆動用モータ５は、回転軸にピニオン５０１を備える。ギヤ部２７は、ローダ駆動用モータ５の前方に配設される。再生部６は、筐体２の内部に配設され、上面にターンテーブル６０１、スピンドルモータ６０２、光ピックアップ６０３及びピックアップ駆動部６０４を備える。
【００３３】
図２は、本実施例の光ディスク再生装置１のギヤ部１７の構成を示す図で、図２（ａ）は上方からの斜視図、図２（ｂ）は下方からの斜視図、図２（ｃ）は上面図、図２（ｄ）は図２（ｃ）の側面図である。
図２においては、図２（ａ）及び（ｂ）の上方をギヤ部１７の上方とし、図２（ｄ）の左側方向をギヤ部１７の上方とする。
【００３４】
ギヤ部１７は、上下方向に型抜きされる金型により一体成型された樹脂部材から成り、円筒部１７１、孔１７２、歯車部１７３、第１の鍔部１７４及び第２の鍔部１７５を備える。
【００３５】
図２（ａ）〜（ｄ）に示すように、円筒部１７１は、円筒型を成し、中央部分に貫通する孔１７２を備える。歯車部１７３は、外径が円筒部１７１の外径より大きな円筒型を成し、外周部分に歯車を形成する。第１の鍔部１７４は、歯車部１７３の下端部分に配設され、上方から見て一定角度毎（本実施例においては６０度毎）の部分に欠落部分を有した薄い円盤型を形成する。第２の鍔部１７５は、歯車部１７３の上端部分に配設され、上方から見て歯車部１７３の欠落部分のそれぞれの箇所に対して平行となる箇所に鍔を形成する。第１の鍔部１７４の外径は、歯車部１７３の外径より大きい。第２の鍔部１７５の外周部分は、歯車部１７３の外周部分より低い。
【００３６】
第１の鍔部１７４は、鍔の上面部分に内周から外周に向かって歯車部１７３と反対の方向に傾斜した傾斜部１７６を備える。第２の鍔部１７５は、鍔の下面部分に内周から外周に向かって歯車部１７３と反対の方向に傾斜した傾斜部１７７を備える。
【００３７】
図３は、本実施例のギヤ部１７の構成を示す側面図である。
【００３８】
図３に示すように、光ディスク再生装置１は、前述したギヤ部１７等の構成の他に、軸支部１９及びＥリング２２を備える。
【００３９】
軸支部１９は、筐体２に固定され、上方に突出する軸１９１を備える。軸支部１９の軸１９１には、上方からギヤ部１７の孔１７２が挿入される。ギヤ部１７は、孔１７２に軸１９１が挿入されることによって軸支部１９の軸１９１を軸として自在に回動可能に成される。
【００４０】
図１に示すように、タイミングベルト１８は、内側に歯部を備えたゴム部材等の弾性体から成り、円環状を形成する。図１及び図３に示すように、タイミングベルト１８は、ピニオン５０１の外周に備える歯車部分とギヤ部１７の歯車部１７３に掛架され、ピニオン５０１の歯車とギヤ部１７の歯車部１７３に噛合った状態に成される。ローダ部３は、凸部３０４の後方部分に固定部３０６を備える。固定部３０６は、タイミングベルト１８の一部分とローダ部３の後方部分を固定する。
【００４１】
図３に示すように、ギヤ部１７の歯車部１７３の幅は、タイミングベルト１８の幅より大きい。軸１９１の上端部分は、ギヤ部１７の孔１７２に軸１９１が挿入された後、Ｅリング２２が固定される。ギヤ部２７は、Ｅリング２２によって、上方に抜けないように成されている。
【００４２】
タイミングベルト１８は、ピニオン５０１と回動自在に成されているギヤ部１７に掛架されていることから、ローダ駆動用モータ５のピニオン５０１が回転するのに伴ってトラック状に回転する。
【００４３】
ローダ駆動用モータ５は、制御部の制御によりピニオン５０１を時計回り方向又は反時計回り方向に回転させる。ローダ部３は、ピニオン５０１とギヤ部１７に掛架されると共に、後方部分が固定部３０６によってタイミングベルト１８に固定されていることから、ローダ駆動用モータ５のピニオン５０１が時計回り方向又は反時計回り方向に回転し、タイミングベルト１８がトラック状に時計回り方向又は反時計回り方向に回転するのに伴って前後方向に移動し、開口部２０１を介して筐体２の前方と筐体２内部との間を自在にスライドする。
【００４４】
ターンテーブル６０１は、ローダ部３によって筐体２の内部に搬送された光ディスクを保持する。スピンドルモータ６０２は、制御部の制御によりターンテーブル６０１を回転させる。ピックアップ駆動部６０４は、制御部の制御により、スピンドルモータ６０２の軸方向に光ピックアップ６０３をスライド駆動させる。光ピックアップ６０３は、光ディスクに記録されたオーディオデータを読み取る。
【００４５】
このように、本実施例の光ディスク再生装置１は、先ず、ローダ部３を筐体２の前方にスライドさせた状態で光ディスクを凹部３０２に載置し、次に、制御部の制御によってローダ駆動用モータ５のピニオン５０１を回転させてタイミングベルト１８をトラック状に回転させ、ローダ部３を後方にスライドさせることによって光ディスクを筐体２の内部に搬送し、次に、筐体２内に移動された光ディスクの下方から図示しない機構により再生部が上昇して再生部６に備えるターンテーブル６０１が光ディスクを保持した後、当該ターンテーブル６０１が光ディスクを回転させると共に光ピックアップ６０３が光ディスクに記録されたデータを読み取ることによって、光ディスクに記録されたデータを再生する構成となっている。
【００４６】
図３に示すように、ギヤ部１７は、歯車部１７３にタイミングベルト１８が掛架され、タイミングベルト１８の回転に伴って回転している状態の場合、第１の鍔部１７４の鍔の部分によってタイミングベルト１８が下方に外れないように成され、また、第２の鍔部１７５の鍔の部分によってタイミングベルト１８が上方に外れないように成されている。
【００４７】
背景技術で説明したように、タイミングベルト１８の幅は、歯車部１７３の幅より小さいため、ピニオン５０１とギヤ部１７の間に掛架された状態で歯車部１７３と噛合いながらトラック状に回転している状態のとき、タイミングベルト１８の内側の歯部と歯車部１７３の表面歯車の部分との歯合部分が上下方向にスライドし、歯車部１７３に対してタイミングベルト１８が上方又は下方にスライドすることがあり、タイミングベルト１８の上方又は下方へスライドする力が大きくなって第１の鍔部１７４を大きな力で下方に押圧したり、また、第２の鍔部１７５を大きな力で上方に押圧する場合がある。
【００４８】
しかしながら、例えば、歯車部１７３に対してタイミングベルト１８が下方にスライドし、第１の鍔部１７４を大きな力で下方に押圧しても、第１の鍔部１７４は、内周から外周に向かって歯車部１７３と反対の方向に傾斜した傾斜部１７６を鍔の上面に備えていることから、タイミングベルト１８が大きな力で第１の鍔部１７４を下方に押圧しても、この傾斜部１７６がタイミングベルト１８の下端部分を上方に押し戻そうとする力が作用するため、タイミングベルト１８のトラック状の回転をスムーズに保つことができる。
【００４９】
また、例えば、歯車部１７３に対してタイミングベルト１８が上方にスライドし、第２の鍔部１７５を大きな力で上方に押圧しても、第２の鍔部１７５は、内周から外周に向かって歯車部１７３と反対の方向に傾斜した傾斜部１７７を鍔の下面に備えていることから、タイミングベルト１８が大きな力で第２の鍔部１７５を上方に押圧しても、この傾斜部１７７がタイミングベルト１８の上端部分を下方に押し戻そうとする力が作用するため、タイミングベルト１８のトラック状の回転をスムーズに保つことができる。
【００５０】
このように、本実施例の光ディスク再生装置１は、ピニオン５０１とギヤ部１７の間に掛架された状態で歯車部１７３と噛合いながらトラック状に回転している状態のとき、タイミングベルト１８の内側の歯部と歯車部１７３の表面歯車の部分との歯合部分が上下方向にスライドし、タイミングベルト１８が上方又は下方へ大きな力でスライドした場合でも、タイミングベルト１８のトラック状の回転をスムーズに保つことができるため、ギヤ部１７の回転が抑制され、タイミングベルト１８がスムーズにトラック状に回転できなくなってローダ部３がスムーズに前後方向にスライドできなくなり、光ディスク再生装置１の品位が損なわれてしまったり、また、タイミングベルト１８と噛合ったピニオン５０１が回転できなくなることによってピニオン５０１を回転させようとするローダ駆動用モータ５が破損してしまうことを防止することができる。
【００５１】
本実施例の光ディスク再生装置１のギヤ部１７は、図２（ａ）〜（ｄ）に示すように、第１の鍔部１７４が上方から見て一定角度毎（本実施例においては６０度毎）に欠落部分を有した薄い円盤型を形成し、また、第２の鍔部１７５が上方から見て歯車部１７３の欠落部分に対して平行となるそれぞれの箇所に鍔を形成することから、上下方向に型抜きされる金型により一体成型することができる。このため、歯車部１７３の上端部分及び下端部分にそれぞれ鍔部を備えるギヤ部を一体成型するための特殊な金型成型手段を用いる必要がないことから、ギヤ部１７を成型するための金型製造費用が大幅に上昇してしまったり、ギヤ部１７の製造コストが上昇して光ディスク再生装置１の製造コストが上昇してしまうことを防止することができる。
【００５２】
本実施例の光ディスク再生装置１は、ギヤ部１７の第２の鍔部１７５の外周部分が歯車部１７３の外周部分より低いことにより、例えば、ギヤ部１７が軸支部１９に軸支された状態であっても、タイミングベルト１８の弾性力によって、タイミングベルト１８を少し拡げるだけでギヤ部１７にタイミングベルト１８を容易に掛架することができ、また、例えば、ギヤ部１７が軸支部１９に軸支され、タイミングベルト１８がピニオン５０１と歯車部１７３に掛架された状態であっても、タイミングベルト１８の弾性力によって、歯車部１７３に噛合ったタイミングベルト１８を少し拡げて上方に持ち上げるだけでギヤ部１７に掛架したタイミングベルト１８を容易に取り外すことができる。
【００５３】
本実施例の光ディスク再生装置１は、ギヤ部１７に第１の鍔部１７４及び第２の鍔部１７５を備える構成としたが、第１の鍔部１７４及び第２の鍔部１７５をピニオン５０１に備える構成としても良い。
【００５４】
本実施例の光ディスク再生装置１は、図２（ａ）〜（ｄ）に示すように、第１の鍔部１７４が上方から見て６０度毎に欠落部分を有した薄い円盤型を形成し、第２の鍔部１７５が上方から見て歯車部１７３の欠落部分のそれぞれの箇所に配設された鍔を形成する構成としたが、ギヤ部１７に掛架されたタイミングベルト１８が外れるのを防止することができ、また、ギヤ部１７の成型に特殊な金型を必要としないのであれば、第１の鍔部１７４が上方から見て６０度以外の一定角度毎に欠落部分を有する構成としても良い。
【００５５】
本実施例の光ディスク再生装置１は、ギヤ部１７の第１の鍔部１７４及び第２の鍔部１７５にそれぞれ傾斜部１７６及び傾斜部１７７を備える構成としたが、歯車部１７３に対してタイミングベルト１８が上方または下方へスライドする力が強くない場合は、傾斜部１７６及び傾斜部１７７を備えない構成としても良い。これにより、ギヤ部１７を成型するための金型製造費用及びギヤ部１７の製造コストを低減させることができる。
【００５６】
本実施例の光ディスク再生装置１は、ギヤ部１７に掛架されたタイミングベルト１８をトラック状に回転させることにより、ローダ部３をスライドさせる構成としたが、タイミングベルト１８を回転させることにより、例えば、再生部を上下方向に移動させたり、また、ターンテーブルを回転させたりする用途に用いても良い。
【産業上の利用可能性】
【００５７】
本発明は、光ディスクに記録されているデータを再生する光ディスク再生装置に有用に用いることができる。
【符号の説明】
【００５８】
１  光ディスク再生装置、２  筐体、２０１  開口部、
３  ローダ部、３０１  ディスク載置部、３０２  凹部、３０３  孔、
３０４  凸部、３０６  固定部、４  案内部、
５  ローダ駆動用モータ、５０１  ピニオン、
６  再生部、６０１  ターンテーブル、６０２  スピンドルモータ、
６０３  光ピックアップ、６０４  ピックアップ駆動部、
１７  ギヤ部、１７１  円筒部、１７２  孔、１７３  歯車部、
１７４  第１の鍔部、１７５  第２の鍔部、１７６  傾斜部、１７７  傾斜部、
１８  タイミングベルト、１９  軸支部、１９１  軸、２２  Ｅリング、
１００  光ディスク再生装置、
２７  ギヤ部、２７１  円筒部、２７２  孔、２７３  歯車部、２７４  鍔部、
２８  抜け防止プレート、２８１  孔
【図１】
2012208965.tif 000003
【図２】
2012208965.tif 000004
【図３】
2012208965.tif 000005
【図４】
2012208965.tif 000006
【図５】
2012208965.tif 000007